(57)【特許請求の範囲】
【請求項１】
所定の配線パターンを有する回路基板と、
前記配線パターン上に配置される複数の発光素子と、
これら発光素子に連なる前記配線パターンまたはこれとは異なる前記配線パターン上に複数配置される所定の回路素子と、
前記回路基板とは所定間隔を隔てて配置され前記発光素子にて照明される複数の表示部を有する表示パネルと、
この表示パネルと前記回路基板との間に配置され前記表示パネル側に開口する第１の開口部及び前記回路基板側に開口する第２の開口部が設けられた複数の筒状部を有するケース体とを備え、
前記発光素子及び前記回路素子を配置する前記配線パターンが前記回路基板の片面前方側に形成され、
前記発光素子及び前記回路素子が前記回路基板の前方側で前記配線パターン上に実装される表面実装型のチップ部品からなり、
前記発光素子とこれを挟むように両脇に隣接配置される前記各回路素子の双方を１セットとして前記各筒状部の前記第２の開口部内に収納配置したことを特徴とする照明装置。
【請求項２】
所定の配線パターンを有する回路基板と、
前記配線パターン上に配置される複数の発光素子と、
これら発光素子に連なる前記配線パターンまたはこれとは異なる前記配線パターン上に複数配置される所定の回路素子と、
前記回路基板とは所定間隔を隔てて配置され前記発光素子にて照明される複数の表示部を有する表示パネルと、
この表示パネルと前記回路基板との間に配置され前記表示パネル側に開口する第１の開口部及び前記回路基板側に開口する第２の開口部が設けられた複数の筒状部を有するケース体とを備え、
前記発光素子及び前記回路素子を配置する前記配線パターンが前記回路基板の片面前方側に形成され、
前記発光素子及び前記回路素子が前記回路基板の前方側で前記配線パターン上に実装される表面実装型のチップ部品からなり、
前記発光素子とこれを挟むように両脇に隣接配置される前記各回路素子の双方を１セットとして前記各筒状部の第２の開口部に対応させると共に前記第２の開口部側端部外径の投影領域内に前記発光素子と前記回路素子の少なくとも一部が位置するように配置したことを特徴とする照明装置。
【請求項３】
前記１セットを構成する前記各回路素子がコンデンサと抵抗からなることを特徴とする請求項１または請求項２記載の照明装置。
【請求項４】
前記発光素子が発光ダイオードであることを特徴とする請求項１から請求項３のうち何れか一つに記載の照明装置。
【発明の詳細な説明】
【０００１】
【発明の属する技術分野】
本発明は、例えば自動車やオートバイ、農建機、水上バイク、雪上バイク、船舶等の移動体に搭載される計器装置のごとき照明装置に係わるものである。
【０００２】
【従来の技術】
従来、自動車に搭載されるこの種の照明装置として、所定の配線パターンを設けた回路基板にステッピングモータや交差コイル式電動機からなる計器本体と発光素子を装着し、この回路基板の前方側にケース体を配置し、このケース体の前方に表示パネルを配置して支持し、この表示パネルの前方側に計器本体にて駆動される指針を配置してなるものが知られている。
【０００３】
表示パネルには、指針の指示対象となる目盛、数字、文字からなる表示部の他、ターンインジケータ、シフトインジケータ、ビームインジケータ、ブレーキインジケータ、オイルインジケータ、シートベルトインジケータ、オイルインジケータ、バッテリインジケータ等、各種インジケータ類の一部を構成する報知用もしくは警報用の表示部が形成され、回路基板上に装着された発光素子の点灯により、これら表示部を照明表示できるように構成されている。またケース体には、発光素子を取り巻くように回路基板側に延びる筒状部が形成され、この筒状部を通じて各表示部を照明するようになっている。
【０００４】
発光素子としては、白熱バルブや蛍光管等が古くから用いられてきたが、最近では小型で比較的発熱量の小さい発光ダイオード、特に表面実装デバイス形式の発光ダイオードチップが用いられるようになってきた。発光ダイオードは通常、これを駆動する電流値を決める駆動用抵抗からなる回路素子に配線パターンを通じて電気接続される。また発光ダイオードは、様々な原因で発生するリーク電流やノイズの影響を受けやすく、このようなリーク電流またはノイズ等、本来意図しない電力が加わった場合に発光ダイオードが誤作動し、それが誤点灯やちらつき等となって視認されることがあり、発光ダイオードを本来意図しない電力から保護する保護用の回路素子、例えば抵抗やコンデンサを付設することがある。そしてこのような回路素子を発光ダイオードに付設する場合、発光ダイオードを収納するケース体の筒状部の外側に配置するのが一般的であった（例えば特開平１１−１３２７９４号参照）。
【０００５】
【発明が解決しようとする課題】
しかしながら、このような回路基板における回路素子のレイアウト構成は、発光素子とこれに付設される回路素子とが筒状部を挟んで位置的に離間すること、筒状部を避けての回路素子レイアウト並びにパターン配線となることから、その分、回路基板上に余分なスペースを必要とし、部品レイアウト及びそれに対応する配線パターンの引き回し作業（アートワーク）に大きな労力を必要としていた。また発光素子に付設される回路素子が保護用の回路素子の場合、発光素子と回路素子とが離間すると、これらをつなぐ配線パターンが長くなる分、発光素子の保護対策（特にノイズ対策）上不利であった。
【０００６】
本発明はこの点に鑑みてなされたものであり、その主な目的は、回路素子のレイアウト構成を工夫することで、回路基板上のスペース効率を高めることができる照明装置を提供せんとするものである。
【０００７】
【課題を解決するための手段】
本発明は、前記目的を達成するため、所定の配線パターンを有する回路基板と、前記配線パターン上に配置される複数の発光素子と、これら発光素子に連なる前記配線パターンまたはこれとは異なる前記配線パターン上に複数配置される所定の回路素子と、前記回路基板とは所定間隔を隔てて配置され前記発光素子にて照明される複数の表示部を有する表示パネルと、この表示パネルと前記回路基板との間に配置され前記表示パネル側に開口する第１の開口部及び前記回路基板側に開口する第２の開口部が設けられた複数の筒状部を有するケース体とを備え、前記発光素子及び前記回路素子を配置する前記配線パターンが前記回路基板の片面前方側に形成され、前記発光素子及び前記回路素子が前記回路基板の前方側で前記配線パターン上に実装される表面実装型のチップ部品からなり、前記発光素子とこれを挟むように両脇に隣接配置される前記各回路素子の双方を１セットとして前記各筒状部の前記第２の開口部内に収納配置したことを特徴とする。
【０００８】
また本発明は、所定の配線パターンを有する回路基板と、前記配線パターン上に配置される複数の発光素子と、これら発光素子に連なる前記配線パターンまたはこれとは異なる前記配線パターン上に複数配置される所定の回路素子と、前記回路基板とは所定間隔を隔てて配置され前記発光素子にて照明される複数の表示部を有する表示パネルと、この表示パネルと前記回路基板との間に配置され前記表示パネル側に開口する第１の開口部及び前記回路基板側に開口する第２の開口部が設けられた複数の筒状部を有するケース体とを備え、前記発光素子及び前記回路素子を配置する前記配線パターンが前記回路基板の片面前方側に形成され、前記発光素子及び前記回路素子が前記回路基板の前方側で前記配線パターン上に実装される表面実装型のチップ部品からなり、前記発光素子とこれを挟むように両脇に隣接配置される前記各回路素子の双方を１セットとして前記各筒状部の第２の開口部に対応させると共に前記第２の開口部側端部外径の投影領域内に前記発光素子と前記回路素子の少なくとも一部が位置するように配置したことを特徴とする。
【０００９】
また本発明は、前記回路素子がコンデンサまたは抵抗のうち少なくとも何れか一方であることを特徴とする。
【００１０】
また本発明は、前記回路素子がコンデンサと抵抗からなり、前記コンデンサと前記抵抗との間に前記発光素子が配置されることを特徴とする。
【００１１】
また本発明は、前記発光素子が発光ダイオードであることを特徴とする。
【００１２】
また本発明は、前記発光素子及び前記回路素子が表面実装型のチップ部品からなることを特徴とする。
【００１３】
【発明の実施の形態】
本発明による照明装置は、回路基板に設けられた配線パターン上に、例えば発光ダイオードからなる発光素子とこの発光素子に付設される回路素子とが配置されており、これら発光素子と回路素子とは、配線パターンを通じて電気接続されている。このように発光素子並びに回路素子が配置された回路基板上にはケース体が配置され、さらにこのケース体の前方側には発光素子の点灯により照明または表示される所定の表示部が設けられた表示パネルが設けられている。ケース体には表示パネル側に開口する第１の開口部と回路基板側に開口する第２の開口部とを備える筒状部が形成され、この筒状部に対応する回路基板領域上に発光素子と回路素子とが隣接状態で配置されている。
【００１４】
このように発光素子と回路素子との配置位置を筒状部に対応させることにより、回路基板上のスペース効率を高めることができる。すなわち、従来のように筒状部の非対応領域となるその外側に回路素子をレイアウトした場合と比較して、発光ダイオードと回路素子とを近接配置できるので、回路基板上スペースに余裕が生まれ、これがアートワークの効率化につながり、作業性を向上させることができる。
【００１５】
また発光素子と回路素子との配置位置を筒状部に対応させることで、発光素子と回路素子との距離が短くなり、これにより両者をつなぐ配線パターンも短くなるため、回路素子が保護用の回路素子である場合、発光素子の保護に有利である
【００１６】
また発光素子に隣接配置される回路素子としては、発光素子に連なる配線パターン上に設けられるものでもよいし、発光素子に連なる配線パターンとは異なる他の配線パターン上に設けられるものでもよく、その種類については任意であり、発光素子に連なる配線パターン上に設けられるものとしては、発光素子を保護するコンデンサや抵抗の他、例えば発光素子に与える電流値を決定する駆動用抵抗であってもよい。
【００１７】
また発光素子と回路素子との配置位置を筒状部に対応させるにあたり、筒状部の回路基板側に開口する第２の開口部に発光素子と回路素子の双方を収納すると、スペース効率の点でさらに有利である。
【００１８】
また筒状部と回路基板との間に隙間が存在する場合は、第２の開口部に発光素子と回路素子とが臨むように配置してもよいし、または筒状部の第２の開口部側の端部に回路素子を対向させてもよく、筒状部、特にその第２の開口部側となる端部外径に対応する回路基板上領域内（端部外径の投影領域内）に、発光素子と回路素子の双方であって少なくとも回路素子の一部が位置するように配置すればよい。
【００１９】
また筒状部は表示パネル側と回路基板側の双方に開口するものであれば、その形状については任意であり、また回路基板についてもその性質や材料を問わず適用が可能である。
【００２０】
なお発光素子と回路素子との配置位置を筒状部に対応させる本発明の構成は、列または集合体をなす複数の表示部と、これら表示部に対応する複数の筒状部と、これら筒状部に対応する複数の発光素子と、これら発光素子を搭載する回路基板とからなるインジケータ（表示装置）群を有し、このようにインジケータが列または群をなすことにより、回路基板上での配置または配線スペースが制約を受けやすい照明装置に効果的である。
【００２１】
また本発明による照明装置は、筒状部の対応領域に配置される部品を発光素子と回路素子のみであることが望ましく、このように構成することで筒状部が必要以上に大きくなるのを抑制することができる。
【００２２】
また本発明による照明装置において、回路素子、特に発光素子保護用の回路素子は、コンデンサまたは抵抗のうち少なくとも何れか一方であることが望ましい。
【００２３】
また本発明による照明装置において、回路素子がコンデンサと抵抗からなる場合、コンデンサと抵抗との間に発光素子を配置すると、筒状部の略中央に発光素子を配置する上で有利である。
【００２４】
また本発明による照明装置において、発光素子及び回路素子を表面実装型のチップ部品とした場合、配置スペースが小さくて済み、発光素子と回路素子との配置位置を筒状部に対応させる上で有利である。
【００２５】
【実施例】
以下、添付図面に基づき、本発明による照明装置を例えば自動車用の計器装置に適用した場合を例に実施例を説明する。
【００２６】
図１は本発明の第１の実施例による計器装置の正面図、図２は図１のＡ−Ａラインに沿った断面図、図３は図２中、矢印Ｂ領域を拡大して示す要部断面図、図４は図２中、矢印Ｂ領域を前方側から見た場合の表示パネルを除いた場合の正面図である。
【００２７】
図１及び図２において、本実施例による計器装置は、回路基板１、計器本体２、ケース体３、表示パネル４、指針５、見返し板６、透視カバー７、保護カバー８とを備える。
【００２８】
回路基板１は、紙フェノール系またはガラスエポキシ系の硬質の回路基板からなり、その片面（前方側）には所定の銅箔材料からなる複数の配線パターン１１（図４参照）が形成され、この配線パターン１１上に計器本体２、発光素子Ｄや回路素子Ｃ，Ｒ（後に詳述する）、これら発光素子Ｄ及び回路素子Ｃ，Ｒとは異なる図示しない他の回路部品（例えば計器本体２や発光素子Ｄを駆動する駆動ＩＣ等）が配置（実装）されている。
【００２９】
計器本体２は、回路基板１の背面側（配線パターン１１が形成されない側）に装着されており、例えば走行速度からなる計測量に応じて回転する駆動軸２１と図示しない端子とが回路基板１を貫通して前方側に突出し、前記端子が配線パターンに半田付け接続されている。
【００３０】
ケース体３は、回路基板１と表示パネル４との間に位置して回路基板１上に配置されており、計器本体２に対応する前方側領域上に位置する略椀形状の反射部３１と、表示パネル４の後述する表示部と発光素子Ｄとに各々対応する筒状部３２とを有している。
【００３１】
筒状部３２は、図３に示すように、表示パネル４側に開口する第１の開口部３３と、回路基板１側に開口する第２の開口部３４とを備え、本実施例では第１の開口部側３３が径大、第２の開口部３４側が径小となる末広がりの円筒形状を有し、その円筒形の内壁部３５により、発光素子Ｄの光を前方にガイドするようになっている。
【００３２】
表示パネル４は、透明材料からなる基材４１に遮光性の地部４２を形成すると共にこの地部４２を形成しない抜き部４３，４４を部分形成し、この場合、図１に詳しく示すように環状の抜き部４３に地部４２と同材料にて遮光性を有し指針５の指示対象となる指標部からなる表示部４５を形成し、また所定形状の抜き部４４によって、ブレーキインジケータ、ＡＢＳインジケータ、冷却水（高温及び低温両）インジケータ、オーバードライブインジケータ、シートベルトインジケータ、ビームインジケータ、シフトインジケータ、ターンインジケータ、エアバックインジケータ、オイルインジケータ、燃料インジケータ、ＡＴオイルインジケータ、エンジンチェックインジケータ、バッテリインジケータの一部（表示部分）を構成する報知用もしくは警報用の表示部４６が形成されている。
【００３３】
これら表示部４６のうち、ブレーキインジケータ、ＡＢＳインジケータ、冷却水（高温及び低温両）インジケータ、オーバードライブインジケータ、シートベルトインジケータ、ビームインジケータ、シフトインジケータを構成する表示部４６は図１中、左方に列または群をなすように配置され、またエアバックインジケータ、オイルインジケータ、燃料インジケータ、ＡＴオイルインジケータ、エンジンチェックインジケータ、バッテリインジケータを構成する表示部４６は図１中、右方に列または群をなすように配置されている。そして本実施例の場合、各表示部４６と各表示部４６に対応する複数の発光素子Ｄとこれら発光素子Ｄを取り巻く複数の筒状部３２とで列または集合体をなすインジケータ群を構成する。なお表示部４６は抜き部４４によってのみ形成されるのではなく、実際は抜き部４４上に設けられる図示しない着色部やこの着色部の前方を覆うスモーク部を備えている。
【００３４】
指針５は不透明材料からなり、発光素子Ｄの点灯により領域発光する抜き部４３上を遮ることにより、照明時には陰となって視認されるようになっている。
【００３５】
見返し板６は、表示パネル４の所定領域を露出する不透明材料からなり、また透視カバー７は見返し板６上を覆う透明材料からなり、保護カバー８は回路基板１及び計器本体２の背面を覆うものである。
【００３６】
発光素子Ｄは発光ダイオード、回路素子Ｃはコンデンサ、回路素子Ｒは抵抗からなり、これらは全て表面実装型のチップ部品からなる。回路素子Ｃ，Ｒは、発光素子Ｄを保護してノイズ等の本来意図しない電力により発光素子Ｄが誤作動するのを防止するものである。
【００３７】
これら発光素子Ｄと各回路素子Ｃ，Ｒは、図４に示すように、発光素子Ｄが中央、各回路素子Ｃ，Ｒが発光素子Ｄの両脇に位置して発光素子Ｄを挟むように回路基板１上に隣接配置されている。なお図４中、１２は回路基板１の表面を覆うレジスト、１３はレジスト１２を除去して配線パターン１１を部分的に露出してなるレジスト除去部であり、レジスト除去部１３に発光素子Ｄと各回路素子Ｃ，Ｒが各々、リフロー半田付け手段により実装されている。
【００３８】
ここで筒状部３２との関係に注目すると、発光素子Ｄと各回路素子Ｃ，Ｒは、図３に示すように、筒状部３２の第２の開口部３４側に対応する回路基板１の領域上で、第２の開口部３４の内径Ｗ１に収まる領域内に収納状態に配置されている。この際、発光素子Ｄと各回路素子Ｃ，Ｒは、開口部３４の内径を規定する端部側の内壁部３５から所定距離分離間している。なおここでは、図２中、Ｂ領域内の筒状部３２周辺部を代表例として説明したが、表示部４６に対応する他の部分も同様の構成となっている。
【００３９】
以上のように本実施例では、回路基板１に設けられた配線パターン１１上に、発光ダイオードからなる発光素子Ｄとこの発光素子Ｄに付設される回路素子Ｃ，Ｒとが配置されており、これら発光素子Ｄと回路素子Ｃ，Ｒとは、配線パターン１１を通じて電気接続され、またこのように発光素子Ｄ並びに回路素子Ｃ，Ｒが配置された回路基板１１上にはケース体３が配置され、さらにこのケース体３の前方側には発光素子Ｄの点灯により照明または表示される表示部４６が設けられた表示パネル４が設けられており、ケース体３には表示パネル４側に開口する第１の開口部３３と回路基板１１側に開口する第２の開口部３４とを備える筒状部３２が形成され、この筒状部３２に対応する回路基板１領域上に発光素子Ｄと回路素子Ｃ，Ｒとが隣接状態で配置されていることにより、発光ダイオードＤと回路素子Ｃ，Ｒとを近接させ、回路基板１上のスペース効率を高めることができる。また回路基板１上スペースに余裕が生まれることから、アートワークを効率化させ、作業性を向上させることができる。
【００４０】
また本実施例では、発光素子Ｄと回路素子Ｃ，Ｒとの配置位置を筒状部に対応させることで、発光素子Ｄと回路素子Ｃ，Ｒとの距離が近くなり、両者をつなぐ配線パターン１１も短くなるため、発光素子Ｄの保護もに有利である。
【００４１】
また本実施例では、発光素子Ｄと回路素子Ｃ，Ｒとの配置位置を筒状部３２に対応させるにあたり、筒状部３２の回路基板１側に開口する第２の開口部３４内に発光素子Ｄと回路素子ＣＲとを収納したことにより、スペース効率をさらに高めることができる。
【００４２】
また本実施例では、コンデンサと抵抗からなる回路素子Ｃ，Ｒ間に発光素子Ｄを配置したことにより、筒状部３２の略中央に発光素子Ｄを配置する上で有利である。
【００４３】
また本実施例では、発光素子Ｄ及び回路素子Ｃ，Ｒを表面実装型のチップ部品としたことにより、配置スペースが小さくて済み、発光素子Ｄと回路素子Ｃ，Ｒとの配置位置を筒状部３２に対応させる上で有利である。
【００４４】
なお本実施例では、筒状部３２の第２の開口部３４側の端部が回路基板１の前方側に略接触する例を示したが、第２の開口部３４側の端部と回路基板１との間に若干の隙間を形成してもよい。このように隙間を形成する場合、発光素子Ｄと回路素子Ｃ，Ｒは、筒状部３２の第２の開口部３４に臨むように配置される。
【００４５】
図５は本発明の第２の実施例を示し、本実施例では発光素子Ｄと回路素子Ｃ，Ｒとの配置位置を筒状部３２に対応させるにあたり、筒状部３２の第２の開口部３４側の端部と回路基板１との間に隙間を形成すると共に、発光素子Ｄと回路素子Ｃ，Ｒを第２の開口部３４側の端部の外径Ｗ２に収まる領域内に配置している。このように構成することにより、従来例と比較してスペース効率を高めることができる。
【００４６】
図６は本発明の第３の実施例を示し、本実施例では発光素子Ｄと回路素子Ｃ，Ｒとの配置位置を筒状部３２に対応させるにあたり、筒状部３２の第２の開口部３４側の端部と回路基板１との間に隙間を形成すると共に、この場合、発光素子Ｄの両脇に位置する回路素子Ｃ，Ｒが第２の開口部３４側の端部の外径Ｗ２から部分的にはみ出る領域上に配置されている。このように構成することにより、従来例と比較してスペース効率を高めることができる。
【００４７】
図７は本発明の第４の実施例として、筒状部の変形例を示すもので、本実施例による筒状部３２０は、断面略「Ｍ」字形であり、表示パネル（図７では図示しない）側に開口する第１の開口部３２１と回路基板１側に開口する第２の開口部３２２と、これら第１，第２の開口部３２１，３２２間に介在する径小開口部３２３とを有し、径小開口部３２３側の端部の内径Ｗ３内に発光素子Ｄを配置すると共に、第２の開口部３２２側の端部の内径Ｗ４内に回路素子Ｃ，Ｒを配置している。このように構成することにより、従来例と比較してスペース効率を高めることができる。
【００４８】
図８は本発明の第４の実施例として、筒状部の変形例を示すもので、本実施例による筒状部３３０は、表示パネル（図８では図示しない）側に開口する第１の開口部３３１と回路基板１側に開口する第２の開口部３３２と、これら第１，第２の開口部３３１，３３２間に介在する径小開口部３３３とを有し、径小開口部３３３側の端部の内径Ｗ５内に発光素子Ｄを配置すると共に、第２の開口部３３２側の端部の内径Ｗ６内に回路素子Ｃ，Ｒを配置している。このように構成することにより、従来例と比較してスペース効率を高めることができる。
【００４９】
なお前記第１〜第４の実施例では、発光素子Ｄと回路素子Ｃ，Ｒを１セットとして筒状部３２（３２０，３３０）に対応させたが、回路素子Ｃ，Ｒのうち一方を筒状部３２（３２０，３３０）に対応させずに離間配置することも可能である。また発光素子Ｄは発光ダイオードに限らず任意タイプの発光素子Ｄを用いることができる。また高い輝度を必要とする場合、発光色の切替を必要とする場合、混色による照明（例えばＲＧＢ三原色光の混合により白色または複数色を得る照明）を行う場合等、必要に応じて単一の筒状部３２に対し同色または異色発光する複数個の発光素子Ｄを配置することもできる。
【００５０】
【発明の効果】
以上詳述したように、本発明は所定の配線パターンを有する回路基板と、前記配線パターン上に配置される複数の発光素子と、これら発光素子に連なる前記配線パターンまたはこれとは異なる前記配線パターン上に複数配置される所定の回路素子と、前記回路基板とは所定間隔を隔てて配置され前記発光素子にて照明される複数の表示部を有する表示パネルと、この表示パネルと前記回路基板との間に配置され前記表示パネル側に開口する第１の開口部及び前記回路基板側に開口する第２の開口部が設けられた複数の筒状部を有するケース体とを備え、前記発光素子及び前記回路素子を配置する前記配線パターンが前記回路基板の片面前方側に形成され、前記発光素子及び前記回路素子が前記回路基板の前方側で前記配線パターン上に実装される表面実装型のチップ部品からなり、前記発光素子とこれを挟むように両脇に隣接配置される前記各回路素子の双方を１セットとして前記各筒状部の前記第２の開口部内に収納配置したことにより、回路基板上のスペース効率を高めることができると共に発光素子を筒状部の略中央に配置する上で有利な照明装置を提供することができる。
また本発明は所定の配線パターンを有する回路基板と、前記配線パターン上に配置される複数の発光素子と、これら発光素子に連なる前記配線パターンまたはこれとは異なる前記配線パターン上に複数配置される所定の回路素子と、前記回路基板とは所定間隔を隔てて配置され前記発光素子にて照明される複数の表示部を有する表示パネルと、この表示パネルと前記回路基板との間に配置され前記表示パネル側に開口する第１の開口部及び前記回路基板側に開口する第２の開口部が設けられた複数の筒状部を有するケース体とを備え、前記発光素子及び前記回路素子を配置する前記配線パターンが前記回路基板の片面前方側に形成され、前記発光素子及び前記回路素子が前記回路基板の前方側で前記配線パターン上に実装される表面実装型のチップ部品からなり、前記発光素子とこれを挟むように両脇に隣接配置される前記各回路素子の双方を１セットとして前記各筒状部の第２の開口部に対応させると共に前記第２の開口部側端部外径の投影領域内に前記発光素子と前記回路素子の少なくとも一部が位置するように配置したことにより、回路基板上のスペース効率を高めることができると共に発光素子を筒状部の略中央に配置する上で有利な照明装置を提供することができる。
【図面の簡単な説明】
【図１】本発明の第１の実施例による計器装置の正面図。
【図２】図１のＡ−Ａラインに沿った断面図。
【図３】図２中、矢印Ｂ領域を拡大して示す要部断面図。
【図４】図２中、矢印Ｂ領域を前方側から見た場合の表示パネルを除いた正面図。
【図５】本発明の第２の実施例を示す要部断面図。
【図６】本発明の第３の実施例を示す要部断面図。
【図７】本発明の第４の実施例を示す要部断面図。
【図８】本発明の第５の実施例を示す要部断面図。
【符号の説明】
１  回路基板
２  計器本体
３  ケース体
４  表示パネル
５  指針
６  見返し板
７  透視カバー
８  保護カバー
１１  配線パターン
１２  レジスト
１３  レジスト除去部
２１  駆動軸
３１  反射部
３２，３２０，３３０  筒状部
３３３，３２１，３３１  第１の開口部
３４  ３２２，３３２  第２の開口部
３５  内壁部
４１  基材
４２  地部
４３，４４  抜き部
４５  表示部
４６  表示部
３２３，３３３  径小開口部
Ｃ，Ｒ  回路素子
Ｄ  発光素子
Ｗ１，Ｗ３，Ｗ４，Ｗ５，Ｗ６  内径
Ｗ２  外径
【図１】
0003543761.tif 000002
【図２】
0003543761.tif 000003
【図３】
0003543761.tif 000004
【図４】
0003543761.tif 000005
【図５】
0003543761.tif 000006
【図６】
0003543761.tif 000007
【図７】
0003543761.tif 000008
【図８】
0003543761.tif 000009